(57)【特許請求の範囲】
【請求項１】
上面に容器口が開放する金属容器体と、上記容器口より内側の位置から該容器口より高く突き出る飲み口が形成された環状体と、上記容器口に上方から被さる容器蓋とを備え、上記環状体を上記金属容器体に着脱自在とし、上記容器蓋に上記飲み口に挿入される栓部を設け、上記環状体に上記容器口の内周との間を水密に密封する外側パッキンを設け、上記環状体の突出部分を樹脂製とした飲料用容器において、上記環状体を、上記容器口の内周に固定するものとし、かつその固定状態で該金属容器体の外周に臨む部分がないものとし、上記容器蓋を上記金属容器体の外周に着脱可能とし、
上記容器蓋の栓部に、上記容器口の内周との間を水密に密封する内側パッキンを設け、
上記内側パッキンを上記容器口の内周に接触させる位置が、上記環状体より低い位置になることを特徴とする飲料用容器。
【請求項２】
上記環状体の外周に上記外側パッキンを設け、その外側パッキンと前記容器口の内周との接触で上記環状体を上下方向に位置決めし、
上記容器口の内周に、上記外側パッキンに対して締め代を有する上段部と、この上段部の下側に該上段部よりも緩い締め代で連続する下段部とを形成し、この下段部の内周に前記外側パッキンとのシール面を形成した請求項１に記載の飲料用容器。
【請求項３】
上記内側パッキンを、上記容器蓋の着脱時に上記内側パッキンの外周が上記環状体の内周より内側を通るように設けたことにより、上記金属容器体に固定された上記環状体に非接触の関係とした請求項２に記載の飲料用容器。
【請求項４】
上記環状体の外周のうち、上記外側パッキンより上側の部分と、上記容器口の内周とを、ねじ嵌合した請求項１に記載の飲料用容器。
【発明の詳細な説明】
【技術分野】
【０００１】
この発明は、持ち運びされる飲料用容器に関し、特に金属容器体を備えたものに関する。
【背景技術】
【０００２】
図５に従来例の飲料用容器の容器口付近の縦断面を示すように、この種の飲料用容器に備わる金属容器体は、上面に容器口が開放するものとなっている。金属容器体内に熱水が入ると、容器口の内周も高温になる。飲料用容器は、熱いお茶を持ち運びするときも利用される。このとき、金属容器体に唇を付けて飲まれると、高温になった金属容器体と唇とが接触することになり、好ましくない。特に、金属容器体が保温構造を備えている場合、長時間に亘ってお茶が高温に保たれるため、この問題がより顕著である。
【０００３】
上記の問題を避けるため、図５の飲料用容器は、金属容器体５０の容器口５１より内側の位置から該容器口５１の内周より高く突き出る飲み口６１が形成された環状体６０と、上記容器口５１に上方から被さる容器蓋７０とを備えたものとなっている。
環状体６０は、金属容器体５０の外周にねじ嵌合される外環状部６２と、上記飲み口６１が形成された内環状部６３とが一体に設けられている。内環状部６３の外周に、容器口５１の内周との間を水密に密封する外側パッキン６４が設けられている。環状体６０は、外環状部６２を金属容器体５０の外周にねじ嵌合させることにより着脱自在となっている。環状体６０の外環状部６２をねじ嵌合すると、内環状部６３が容器口５１内に挿入され、外側パッキン６４が容器口５１の内周のシール面に接触するようになっている。
容器蓋７０の下面中央部に、飲み口６１に挿入される栓部７１が設けられている。その栓部７１の外周は、環状体６０の内環状部６３の内周にねじ嵌合されるようになっている。これにより、容器蓋７０は、環状体６０に着脱自在とされ、環状体６０と共に容器口５１を外部から覆い隠すようになっている。また、栓部７１の外周に、内環状部６３の内周に接触する内側パッキン７２が設けられている。容器蓋７０の栓部７１を環状体の内環状部６３にねじ嵌合すると、内側パッキン７２が内環状部６３の内周のシール面に接触するようになっている。
【０００４】
容器蓋７０は、下面中央部に栓部７１が設けられており、カップとして利用することができない。飲み口６１の内周は、容器口５１より内側の位置から該容器口５１より高く突き出ており、内環状部６３に唇を付けて金属容器５０内の飲料を飲むことができる。環状体６０と容器口５１の内周間は外側パッキン６４で密封されており、容器を傾けたときの漏水が防止されている。上記環状体６０の全体が樹脂製とされており、当然、飲み口６１を形成する内環状部６３も樹脂製となっている。樹脂製の内環状部６３は、金属容器体５０より高温になり難く、上記の問題を軽減することができる（特許文献１参照）。
【０００５】
【特許文献１】意匠登録第１３０２８６７号公報
【発明の開示】
【発明が解決しようとする課題】
【０００６】
しかしながら、図５の従来例の環状体６０は、飲み口６１を形成するものであり、使用の都度、金属容器体５０から外して洗浄されるのが一般的である。環状体６０は、外環状部６２と内環状部６３の間に容器口５１の内外を跨ぐ下向き開放の深い凹形状の部分があり、容器口５１からの漏水で汚れることがあるにもかかわらず、洗浄し難い。
【０００７】
上述の事情に鑑み、この発明は、飲料用容器を構成する金属容器体に対して、樹脂製の飲み口を形成した環状体を着脱自在としながら、その環状体の洗浄を容易にすることを課題とする。
【課題を解決するための手段】
【０００８】
上記課題を解決するこの発明は、上面に容器口が開放する金属容器体と、上記容器口より内側の位置から該容器口より高く突き出る飲み口が形成された環状体と、上記容器口に上方から被さる容器蓋とを備え、上記環状体を上記金属容器体に着脱自在とし、上記容器蓋に上記飲み口に挿入される栓部を設け、上記環状体に上記容器口の内周との間を水密に密封する外側パッキンを設け、上記環状体の突出部分を樹脂製とした飲料用容器を前提とする。
上記のように、容器蓋をカップとして利用できなくとも、飲料用容器を構成する金属容器体に対して着脱自在の環状体で樹脂製の飲み口を設けることにより、金属容器体と唇の接触を避け、着脱式の環状体と容器口の内周間からの漏水を防止するためである。
【０００９】
この発明は、上記の前提構成において、上記環状体を、上記容器口の内周に固定するものとし、かつその固定状態で該金属容器体の外周に臨む部分がないものとし、上記容器蓋を上記金属容器体の外周に着脱可能とした構成を採用したものである。
具体的には、環状体を容器口の内周に固定するものとすれば、その固定状態で金属容器体の外周に臨む部分がないものにすることができる。この環状体は、容器口の内外を跨ぐ下向き開放の深い凹形状の部分がなく、洗浄を容易に行うことができる。
容器蓋を金属容器体の外周に着脱可能とすれば、上記環状体の突出部分が容器蓋と金属容器体とで閉じられた空間内に収まり、容器蓋により外部から隠されるので、環状体の突出部分が外部環境で汚れることもない。
したがって、この発明によれば、飲料用容器を構成する金属容器体に対して、樹脂製の飲み口を形成した環状体を着脱自在としながら、その環状体の洗浄を容易にすることができる。
【００１０】
上記環状体は、金属容器体の外周に臨む部分がないため、環状体の突出部分の上記容器口に対する突出高さによって金属容器体と唇の接触を避けることになる。
【００１１】
上記容器蓋の栓部は、上記飲み口に挿入されるので、上記環状体又は上記容器口の内周との間でパッキンを行なうことになる。
【００１２】
特に、上記容器蓋の栓部に、上記容器口の内周との間を水密に密封する内側パッキンを設けた構成を採用することが好ましい。
この構成によれば、環状体が容器口の内周に固定されることから、上記容器蓋の栓部に設けた内側パッキンを容器口の内周に接触させる位置は、環状体より低い位置になる。すなわち、内側パッキンにより、環状体は容器内と分離されるので、その分、容器内からの熱で加熱され難くなる。
【００１３】
上記環状体の固定構造としては、上記環状体の外周に上記外側パッキンを設け、その外側パッキンと前記容器口の内周との接触で上記環状体を上下方向に位置決めした構成を採用することができる。
環状体は、容器口の内周との間が外側パッキンで密封されるため、外側パッキンの密封が得られるよう容器口の内周に対して水平方向に位置決めすることになる。したがって、環状体を上下方向に位置決めすれば、環状体の固定を行うことができる。
上記のように、容器蓋を金属容器体の外周に着脱可能とすれば、環状体で容器蓋の負荷を受ける必要がなくなり、環状体の外側パッキンと上記容器口の内周との接触で環状体を上下方向に位置決めすることができる。
【００１４】
上記外側パッキンによる環状体の固定構造においては、上記容器口の内周に、上記外側パッキンに対して締め代を有する上段部と、この上段部の下側に該上段部よりも緩い締め代で連続する下段部とを形成し、この下段部の内周に前記外側パッキンとのシール面を形成した構成を採用することが好ましい。
この構成によれば、仮に、環状体が上動しようとしても、外側パッキンが、下段部のシール面より締め代のきつい上段部で強く接触するため、環状体の上動を防止することができる。
【００１５】
上記外側パッキンによる環状体の固定構造においては、上記容器蓋の栓部に、上記容器口の内周との間を水密に密封する内側パッキンを設け、その内側パッキンを、上記金属容器体に固定された上記環状体に非接触の関係とした構成を採用することも好ましい。
上記のように栓部に設ける内側パッキンを容器口の内周に接触させると、環状体の高温化を防止することができるが、栓部の内側パッキンは、容器蓋の着脱により飲み口に出し入れされることになる。
内側パッキンを上記金属容器体に固定された上記環状体に非接触の関係としておけば、容器蓋の着脱時に環状体が内側パッキンに引き摺られることがなく、環状体を正規の位置に保つことができる。
【００１６】
上記環状体の固定構造としては、上記環状体の外周のうち、上記外側パッキンより上側の部分と、上記容器口の内周とを、ねじ嵌合した構成を採用することもできる。
上記外側パッキンによる環状体の固定構造と比して、環状体をねじ嵌合で固定すれば、ねじ係合で環状体が上下方向及び水平方向に位置決めされるので、より確実な環状体の固定を行うことができる。
【発明の効果】
【００１７】
上述のように、この発明は、上記環状体を、上記容器口の内周に固定するものとし、かつその固定状態で該金属容器体の外周に臨む部分がないものとし、上記容器蓋を上記金属容器体の外周に着脱可能とした構成の採用により、飲料用容器を構成する金属容器体に対して、樹脂製の飲み口を形成した環状体を着脱自在としながら、その環状体の洗浄を容易にすることができる。
【発明を実施するための最良の形態】
【００１８】
以下、この発明の第１実施形態に係る飲料用容器を添付図面に基づいて説明する。
図１は、第１実施形態に係る飲料用容器を正面から見て、左半分を外観視とし、右半分を縦断面視で示している。図２は、第１実施形態に係る飲料用容器の分解状態を斜め上方の視線で示している。
【００１９】
図１、図２に示すように、第１実施形態に係る飲料用容器は、上面に容器口１１が開放する金属容器体１０と、容器口１１より内側の位置から該容器口１１より高く突き出る飲み口２１が形成された環状体２０と、容器口１１に上方から被さる容器蓋３０とを備えたものである。
【００２０】
金属容器体１０は、上端開放で有底筒状に形成された内胴部材１の外周上端部と、上下両端開放の筒状に形成された外胴部材２の内周上端部とを接合部とし、外胴部材２の内周下端部と、底部材３の外周下端部とを接合部とし、両接合により容器体に形成され、底部材３に設けられた排気口から真空引きが行なわれ、排気口封止部分４を保護するための底カバー５が被せられた真空二重容器となっている。
【００２１】
両胴部材１、２の横断面は、精度出しを容易にするため、円筒状に形成されている。底カバー５は、真空二重容器の底面を形成しており、外胴部材２の外周下端部に圧入嵌合されることにより、外胴部材２に対して固定されている。
【００２２】
金属容器体１０の容器口１１は、首部１２の上面に開放しており、両胴部材１、２の横断面を円筒状にした結果、容器口１１の内周、首部１２の外周の横断面も円筒状に基づいている。金属容器体１０は、その首部１２より外径を拡げた肩部１３を有している。首部１２の外周は、容器蓋３０の外周壁３１とのねじ嵌合部になっている。肩部１３は、上記外周壁３１の下端部が突き当る部分となっており、容器蓋３０を下側に位置決めしている。この飲料用容器の把持は、通常、金属容器体１０の肩部１３より下側の部分を掴んで行なうことになる。
【００２３】
なお、金属容器体１０の肩部１３より下側の部分に、外径が下から上に進むにつれて大きくなる大径部１４と、この大径部１４の下側に連続する小径部１５とが形成されている。金属容器体１０の下から筒状カバー６を通し、筒状カバー６の上端部を大径部１４に突き当てた状態で、底カバー５の内周に、筒状カバー６の下端部を受けるカバーストッパ７が螺着脱可能になっている。筒状カバー６と小径部１５との間に空間が空けられており、柄表示部材８を配置することができるようになっている。筒状カバー６は、柄表示部材８を透視可能なものとなっており、使用者側で柄表示部材８を自在に交換することが可能になっている。
【００２４】
上記環状体２０は、両端開放の筒状とされている。環状体２０の内周が飲み口２１を形成している。環状体２０のうち、容器口１１内に挿入される部分の外周に、容器口１１の内周との間を水密に密封する外側パッキン２２が設けられている。
なお、外側パッキン２２は、環状体２０とインサート成形で一体化してもよく、環状体２０全体をシリコンゴム等で形成すると共に外側パッキン２２に相当する機能部を有するものとしてもよい。
【００２５】
図３に図１の環状体２０付近を拡大図示する。図２、図３に示すように、環状体２０の外周と容器口１１の内周は、上下方向の同一中心軸を有する横断面形状とされている。環状体２０の外周と容器口１１の内周を同軸配置とした状態で考えて、容器口１１の内周に、外側パッキン２２のリップ２２ａに対して締め代を有する上段部１１ａと、この上段部１１ａの下側に該上段部１１ａよりも緩い締め代で連続する下段部１１ｂとが形成されている。この下段部１１ｂの内周に、外側パッキン２２のリップ２２ａと接触するシール面が形成されている。
【００２６】
環状体２０は、上記上下方向の中心軸に沿って容器口１１内に挿入・引き抜きすることにより、金属容器体１０に着脱することができる。この挿入・引き抜き時、外側パッキン２２のリップ２２ａは、容器口１１の上段部１１ａの内周を上下に摺動させることができる。
【００２７】
上記挿入により、環状体２０の下端部が容器口１１の内周の絞り部１１ｃに突き当る。その突き当りにより、環状体２０が水平方向に位置決めされる。
また、上記環状体２０の下端部の突き当り状態で、外側パッキン２２のリップ２２ａと容器口１１の下段部１１ｂのシール面とが接触しており、その接触で環状体２０が上下方向に位置決めされる。環状体２０が、上記水平方向及び上下方向の位置決め接触により、容器口１１の内周に固定される（以下、このように環状体２０が固定された状態を示すときは、単に「固定状態」という）。
仮に、環状体２０が固定状態で上動しようとしても、外側パッキン２２のリップ２２ａが、下段部１１ｂのシール面より締め代のきつい上段部１１ａで強く接触するため、その上動が防止される。
【００２８】
また、上記環状体２０の固定状態で容器口１１より内側の位置から該容器口１１より高く突き出る環状体２０の突出部分２３は、容器口１１の内周から突出する高さｈが少なくとも７ｍｍに設定されている。環状体２０の突出部分２３は、環状体２０全体を一体樹脂成形することで樹脂製とされている。環状体２０の突出部分２３に唇を付けたとき、上記高さｈにより、金属容器体１０の首部１２と唇との接触が避けられる。
【００２９】
また、環状体２０の突出部分２３の外周に、上記環状体２０の下端部の突き当り状態で首部１２の上端部に上下に重なる落ち止め端２４が形成されている。落ち止め端２４は、首部１２の上端部に上下に掛ることができ、環状体２０の上下方向に関する挿入位置をその下端部と共に確実に規制する。したがって、上記高さｈも確保される。
【００３０】
なお、環状体２０の外周に、容器口１１の内周上端部１１ｄと接触する径方向位置決め部２５、２５・・・が形成されており、上記下端部の突き当り状態で環状体２０が上記中心軸に対して傾かないようになっている。これにより、上記外側パッキン２２のリップ２２ａと上記下段部１１ｂのシール面との接触が安定させられている。なお、各径方向位置決め部２５は、容器口１１の内周上端部１１ｄを上下に摺動することができ、環状体２０の挿入・引き抜きを阻害しない。
【００３１】
また、上記環状体２０の固定状態で、環状体２０は、金属容器体１０の外周に臨む部分がない。したがって、この環状体２０は、容器口１１の内外を跨ぐ下向き開放の深い凹形状の部分がなく、洗浄を容易にすることができる。
【００３２】
上記容器蓋３０は、上記外周壁３１が形成されたリング部材３０ａと、リング部材３０ａの内周に圧入嵌合で一体化される栓部材３０ｂと、一体化された栓部材３０ｂの内周に着脱自在に圧入嵌合される天カバー３０ｃとで蓋体に構成されている。栓部材３０ｂと天カバー３０ｃとの間に空気断熱空間３２が形成される。
【００３３】
容器蓋３０は、上記外周壁３１と首部１２の外周とのねじ嵌合構造により金属容器体１０に着脱自在となっている。上記環状体２０の固定状態で、容器蓋３０の外周壁３１を首部１２にねじ嵌合すると、リング部材３０ａと栓部材３０ｂとで形成された円環空間内に環状体２０の突出部分２３が収まる。環状体２０の突出部分２３は、容器蓋３０により外部から隠されるので、外部環境で汚れることもない。
【００３４】
容器蓋３０の栓部材３０ｂは、上記外周壁３１のねじ嵌合により飲み口２１に挿入される栓部として設けられている。その栓部材３０ｂの外周に、容器口１１の内周との間を水密に密封する内側パッキン３３が設けられている。内側パッキン３３の外周は、上記容器蓋３０のねじ嵌合により飲み口２１内に挿入・抜き取りされる間に固定状態の環状体２０の内周より内側を通るようになっている。これにより、内側パッキン３３と環状体２０とは、非接触の関係とされている。容器蓋３０の着脱時に環状体２０が内側パッキン３３に引き摺られることがなく、環状体２０の突出部分２３と容器蓋３０の円環空間の内面とが接触することもないため、固定状態の環状体２０は正規の位置に保たれる。
【００３５】
内側パッキン３３は、上記外周壁３１のねじ嵌合により外周壁３１の下端部が肩部１３に突き当る前に容器口１１の内周の絞り部１１ｃより下側において接触するようになっており、容器蓋３０を装着した状態で栓部材３０ｂと容器口１１の内周に押し付けられ、上記密封が得られる。このとき、内側パッキン３３を容器口１１の内周に接触させる位置は、環状体２０より低い位置になるから、環状体２０は容器内と分離される。このため、環状体２０は、容器内からの熱で加熱され難い。
【００３６】
上記構成を有する第１実施形態に係る飲料用容器は、金属容器体１０の容器口１１の内周に対して、飲み口２１を形成した樹脂製の環状体２０を挿入・引き抜きすることで位置決めされ着脱自在としながら、固定状態の環状体２０の突出部分２３は外部環境で汚れることがなく、環状体２０に深い凹部のような洗浄し難い部分がない。したがって、第１実施形態に係る飲料用容器は、金属容器体１０に対して、樹脂製の飲み口２１を形成した環状体２０を着脱自在としながら、その環状体２０の洗浄を容易にすることができる。
【００３７】
上記第１実施形態においては、環状体２０の固定を外側パッキン２２に頼ったが、環状体を容器口の内周にねじ嵌合により固定することもできる。その一例として、この発明の第２実施形態を図４に示す。なお、以下、上記第１実施形態と同一に考えられる構成の説明を省略し、相違点を中心に述べる。
【００３８】
図４に示すように、第２実施形態に係る飲料用容器は、環状体４０の外周のうち、外側パッキン４１より上側の部分と、容器口４２の内周とを、ねじ嵌合するようになっている。これに伴い、外側パッキン４１は、容器口４２の内周と接触しないように環状体４０の下端部を構成している。環状体４０のねじ嵌合により、外側パッキン４１は、容器口４２の内周のねじ部４２ａより下側の絞り部４２ｂに突き当てられ、環状体４０と容器口４２の内周間を密封するようになっている。
環状体４０をねじ嵌合で容器口４２の内周に固定すれば、ねじ係合で環状体４０が上下方向及び水平方向に位置決めされる。このため、この第２実施形態に係る飲料用容器は、より確実な環状体４０の固定を行うことができる。
【図面の簡単な説明】
【００３９】
【図１】第１実施形態に係る飲料用容器の半縦断正面図
【図２】図１の飲料用容器の分解斜視図
【図３】図１の環状体付近の部分拡大断面図
【図４】第２実施形態に係る飲料用容器の要部半縦断正面図
【図５】従来例の飲料用容器を示す部分拡大半縦断正面図
【符号の説明】
【００４０】
１  内胴部材
２  外胴部材
３  底部材
４  排気口封止部分
５  底カバー
６  筒状カバー
７  カバーストッパ
８  柄表示部材
１０  金属容器体
１１、４２  容器口
１１ａ  上段部
１１ｂ  下段部
１１ｃ、４２ｂ  絞り部
１１ｄ  内周上端部
１２  首部
１３  肩部
１４  大径部
１５  小径部
２０、４０  環状体
２１  飲み口
２２、４１  外側パッキン
２２ａ  リップ
２３  突出部分
２４  落ち止め端
２５  径方向位置決め部
３０  容器蓋
３０ａ  リング部材
３０ｂ  栓部材
３０ｃ  天カバー
３１  外周壁
３２  空気断熱空間
３３  内側パッキン
４２ａ  ねじ部
【図１】
0005014931.tif 000002
【図２】
0005014931.tif 000003
【図３】
0005014931.tif 000004
【図４】
0005014931.tif 000005
【図５】
0005014931.tif 000006